(57)【要約】      （修正有）【課題】ＩＣチップを内臓する携帯電話機の機能を物理的に分離することにより、わざわざ取り出すことなく料金支払い等ができるようにする。【解決手段】携帯電話機を、ＩＣタグ（ＩＳＯ１４４４３準拠）等を内蔵し通信機能を持つ装置（ＲＦシステム）と、それ以外等の各種機能を持つ装置とに、必要に応じて物理的に分離し、ＲＦシステム装置は専用の携帯時計などに装着することにより課題を解消する。それぞれの装置間は、ＩＳＯ１５６９３に準拠ＩＣタグ及び１５９６３に準拠の固有ＩＤにより通信特定認識し一体として機能させる。ＲＦシステム装置には、ＩＳＯ１４４４３に準拠のＩＣチップを搭載し、ＯＳ・データ記憶等機能を持つ。ＩＣタグ（ＩＳＯ１５６９３準拠ＩＣチップ及び１４４４３準拠ＩＣチップ）間も、ＩＳＯ１５９６３の固有ＩＤ等により特定通信する。【選択図】図１
0003124514.tif 000002
【実用新案登録請求の範囲】
【請求項１】
携帯電話機を、携帯中継基地との無線通信・ＩＣタグ（ＩＳＯ１５６９３に準拠したＩＣチップ）・携帯電話及びインターネット等機能ＯＳ・データ入出力等機能を持つ装置と、ＩＣタグ（ＩＳＯ１４４４３に準拠したＩＣチップ）・支払決済購入等及び全体制御機能ＯＳ・データ記憶等機能を持つ装置（ＲＦシステム）とに分離及び装着（一体化）することができ、それぞれの装置はＩＳＯ１５６９３準拠の近接型ＩＣチップにより相互通信機能を有するとともに、ＩＳＯ１５９６３に準拠した固有ＩＤにより特定認識すること。
説明：携帯電話機のそれぞれの装置は、特定装置（１対１あるいはＮ対Ｎ）間のみ以外は通信不可とする。
【請求項２】
携帯電話機の各装置は、ＲＦシステム装置のデータ記憶等機能とともに、支払・決済等機能を持つ携帯電話機システムとして一体的機能を有し、ＩＣタグ間（ＩＳＯ１５６９３準拠ＩＣチップ及びＩＳＯ１４４４３準拠ＩＣチップ）もＩＳＯ１５９６３（固有ＩＤ）ほかの方法により特定認識・双方向通信機能を有すること。
説明：非接触型ＩＳＯ１４４４３準拠ＩＣチップは、対応する料金支払・決済等システム（機器）との支払い通信機能に使用する。
【請求項３】
携帯電話機から分離したＲＦシステム装置は、携帯時計などに装着できること。また、ＲＦシステム装置を分離し携帯時計などに装着時、それぞれの装置がＩＳＯ１５６９３近接型ＩＣタグ（チップ）による通信不可の距離となった場合（２メートル程度以上）には、支払・決済・購入等機能を持つ携帯電話機システムとして自動的に機能しないとともに、ＩＳＯ１４４４３準拠ＩＣチップ（非接触型リアル）機能も使用不可となり、通信可能な距離に戻った場合には、自動的にそれらの機能が再び利用可となる機能を持つこと。
【請求項４】
携帯電話器の無線通信・ＯＳ・入出力等機能装置とＲＦシステム装置を分離し、ＩＳＯ１５６９３近接型ＩＣタグ（チップ）による通信不可の距離となった時間が一定以上の場合には、自動的に特定者（組織・機関等を含む）にそれを知らせる機能を有すること。
【考案の詳細な説明】
【技術分野】
【国際特許分類第７版】
Ｈ０４Ｌ  ２９／００
Ｈ０４Ｍ    １／０２  １／２６  １／６５  １１／００  １１／０４  １１／０６
【背景技術】
【考案の開示】
【考案が解決しようとする課題】ＩＳＯ１４４４３に準拠した仕様のＩＣチップを内臓し、料金支払い等の機能を有する携帯電話機により、受信システム（装置）を持つ駅の改札や販売店等で支払う際には、通常携帯電話を取り出して操作しなければならない。
一方、ＩＳＯ１５６９３に準拠した仕様のＩＣチップは、数メートルの距離で通信が可能であるが、本人の意思に関係なく、近付くだけで反応してしまう危険性がある。
今後のユビキタス社会においては、危険性の多い磁気カードに変わり、より安全なＩＣチップ（カード）が中心となるべきである。しかし、携帯電話機本体にＩＣチップを内蔵することは、上述のとおり使い勝手としては不便である。また、ＩＣカードとして別の独立した機能（形体）とすることも、磁気カードと同様な危険性を生じる。
このため、ＩＳＯ１４４４３準拠のＩＣチップを内臓する携帯電話機の機能を物理的にも分離することにより、わざわざ取り出すことなく料金支払い等ができるようにすることで、安全性・利便性を高め課題の解消を計ろうとするものである。
また、支払・決済・購入等機能を持つ携帯電話の盗難、あるいは紛失等した場合にも安全であることを課題とする。
さらに、出先などにおいて身体の急変等携帯電話による通信も不可の場合に、それを自動的に知らせることも課題とする。
【課題を解決するための手段】▲１▼携帯電話機を、携帯中継装置との無線通信、携帯電話・インターネット等機能を有するＯＳ、データを入出力（表示）できる各機能及びＩＳＯ１５６９３に準拠するＩＣタグを内臓する装置と、ＩＣタグ（ＩＳＯ１４４４３準拠ＩＣチップ）を内蔵し、支払・決済・購入等機能等全体を制御するＯＳ及び各種データ記憶等機能を持つＲＦシステム装置とに、必要に応じて物理的に分離及び装着（一体化）することができる機能を有する。
▲２▼無線通信・ＩＳＯ１５６９３準拠ＩＣタグ・ＯＳ・入出力等機能装置とＲＦシステム装置は、ＩＳＯ１５９６３に準拠した固有ＩＤにより特定認識し、ＩＳＯ１５６９３に準拠したＩＣチップ（近接型）だけとの双方向通信機能を有する。特定装置（１対１あるいはＮ対Ｎ）間のみ以外は通信不可とする。
▲３▼ＲＦシステム装置には、ＩＳＯ１５６９３準拠ＩＣチップの送受信アンテナ及びＩＳＯ１４４４３に準拠したＩＣチップを搭載し、ＩＳＯ１４４４３準拠ＩＣタグ及び１５６９３に準拠ＩＣタグ間も特定認識通信機能を有する。
▲４▼ＲＦシステム装置には、オンラインバンキング・支払や入金（電子マネーやクレジット）・各種チケットなど（ネットワーク購入とリアル使用）・入退室電子キー等機能全体を制御するＯＳ及びそれら各種データ等の記憶及び利用等ができる機能機器を搭載する。
▲５▼本携帯電話機を、無線通信・ＯＳ・入出力等機能装置と、ＲＦシステム装置とに分離し、それぞれの装置がＩＳＯ１５６９３近接型ＩＣタグ（チップ）による通信不可の距離となった場合には、自動的に各種支払購入等（通信）機能は使用不可となり、通信可能な距離に戻った場合には、支払購入等機能は自動的に利用可となる機能を持つ。同時に、ＲＦシステム装置のＩＳＯ１４４４３準拠ＩＣチップも、非接触型の料金決済等システムなどとの支払・使用等機能を不可及び可とする。
▲６▼ＲＦシステム装置は、専用の携帯時計・腕輪・ペンダント（スティック）・指輪・ネックレスなどに装着あるいは分離できる機能を有する。
▲７▼本携帯電話機の無線通信・ＯＳ・入出力等機能装置とＲＦシステム装置を分離し、ＩＳＯ１５６９３近接型ＩＣタグ（チップ）による通信不可の距離となった時間が一定以上の場合には、自動的に特定者（組織・機関等を含む）にそれを知らせる（定型文電話・メール）機能を有すること。また、その機能の利用及び時間等は任意に設定できる機能を持つ。
▲８▼本携帯電話機の無線通信・ＯＳ・入出力等機能装置は、特定者（組織・機関等を含む）だけには通信連絡できる機能（アドレス登録）を有する。
【考案を実施するための最良の形態】ＩＳＯ１５６９３に準拠したＩＣ送受信アンテナ、及びＩＳＯ１４４４３に準拠したＩＣチップを搭載し、全体制御並びにデータ記憶機能を持つＲＦシステム装置を、携帯電話機から分離し（外し）、携帯時計・腕輪・ペンダント（スティック）・指輪・ネックレスなどの装身具や器具（ＵＳＢフラッシュメモリ）等に容易かつ安全に装着できるようにする。外出時等に分離し携帯時計などに装着することにより、非接触型の料金決済等システムとの支払いなどに対しては、携帯電話を取り出すことなく簡単に操作が可能となる。それらの装置は、支払・決済・購入等に関してはセット（一対等）で機能することを基本形態（システム）とする。
携帯電話機として一体型としたままでも、全ての機能は有するものとする。
携帯電話器の無線通信・ＯＳ・入出力等機能装置とＲＦシステム装置を分離した場合は、支払いなどに対して電波（ＩＳＯ１５６９３）が届く距離内だけでセット機能するものとし、片方だけでは作動しないものとする。なお、電波（ＩＳＯ１５６９３）が届かない距離に離れたら、持ち主に知らせる機能を備えることが最良の形態となる。
＜万一、強盗などの被害や紛失等が生じた場合には、自動的にその支払・決済などセット機能が停止できる。＞
自分の身体に異常が生じた場合などには、無線通信・ＯＳ・入出力等機能装置とＲＦシステム装置を意識的に分離させることだけで、異常事態を特定者（組織・機関等を含む）に自動的に緊急通信連絡できる機能を機器に備える。また、緊急時対応装置を設け、持ち主が意識的にボタンを引っ張る（あるいは押す）ことなどにより、同様に緊急通信連絡できる機能を備えることが最良の形態となる。さらに、緊急連絡は１回だけでなく３０分間隔等複数回通信することで、より確実に連絡でき、かつ場所（位置）の特定も可能となる。
＜組織や機関等の場合は、別途保険等安全システム（組織・機関等）への加入が必要とされる。＞
【実施例】携帯電話機本体にＩＳＯ１４４４３に準拠したＩＣチップを搭載した場合には、支払等操作時において常に携帯電話を取り出さなければならない。しかし、ＩＳＯ１４４４３に準拠したＩＣチップを別の装置とすることにより、携帯電話（機器）を取り出すことなく支払い処理等が可能となる。
また、それぞれが通信できない（ＩＳＯ１５６９３）距離以上に離れると、支払・決済・購入等機能等全体を制御するＯＳ及び各種データ記憶等機能は自動的に停止するものとする。（装置間で通信不能の場合には、自動的に支払い機能停止とする。）
さらに、数分間隔等で双方の装置が交信し互いに位置を確認連絡する方法などにより、その離れた時間が一定の時間以上の場合には、異常事態を自動的に特定者（組織・機関等を含む）等に緊急通信連絡（複数回）できる機能を持たせる。その機能利用や、緊急通信連絡する一定時間は１０分あるいは２４時間等任意に設定できるものとする。
なお、本携帯電話機の無線通信・ＯＳ・入出力等機能装置は、特定者等だけには（緊急）通信連絡できる機能を任意に設定できるものとする。
＜自分の身体に異常が生じても話ができない場合などには、自らどちらかの装置を数メートル先に投げる（分離する）ことにより、異常事態を特定者に自動発信することもできる。＞
【産業上の利用可能性】▲１▼磁気カードは比較的簡単なシステムであるため、その不正使用や危険性は社会的にも諸問題を増大させている。一方、磁気カードに比較しＩＣチップ（カード）は、様々な支払やその使用などの機能を持たすことが可能であり、かつより安全なシステムとうたわれている。しかし、諸技術は日進月歩であり、その不正使用も進展する可能性がある。さらに、携帯電話機にもＩＣチップ（カード）を搭載し、さらにネットワーク入金や購入支払（電子マネーやクレジット）など種々の利用ができることはその危険性を増す。このため、利用者が容易に取り扱え、かつ出来る限り万一の危険にも安全なＲＦ（ＩＣ）システムとすることが、ユビキタス社会の実現に必要である。携帯電話機器に、数センチの距離しか電波が飛ばないＩＳＯ１４４４３に準拠したＩＣチップと、数メートルの距離が可能なＩＳＯ１５６９３に準拠したＩＣチップを、それぞれ搭載する装置を設け、その装置を分離あるいは一体化でき、かつＲＦシステム装置は別の機器にも装着可能とすることでその利便性を増す。＜自宅等では主に分離しない形態で利用する。＞  ⇒ＲＦ（ＩＣ）システム及び電子機器関連産業
▲２▼ＩＣチップカード搭載の携帯電話（電子マネー等機能）により、チケットや様々な商品等購入とその使用や返金（品）などに対し便利・容易となる。しかし、外出などにおいて置き忘れた場合等には、極めて危険性が増す。このため、携帯電話機器間の分離された距離が、通信（ＩＳＯ１５６９３）できない距離以上になると自動的に機能停止となることにより、その安全性や不正使用等を激減することができる。⇒保険等安全システム及び金融関連産業
▲３▼装置が分離した時間が一定以上の場合（強盗や身体異常等）には自動送信できる機能により、使用者の万一の危険時においても対応することができる。
なお、この場合には使用者が自宅や外出先等において、無意識的に数メートル以上の距離を離してしまったときなどに対して、使用者へお知らせ（音声）する機能を持たせる。⇒保険・医療関連産業
▲４▼ＲＦ（ＩＣ）システムが装着できる新たな形体の、携帯時計・腕輪・ペンダント（スティック）・指輪・ネックレスなどの装身具や器具（ＵＳＢフラッシュメモリ）等の生産需要が見込まれる。⇒時計・装身具・各種機器関連産業
【図面の簡単な説明】  ［図Ａは、＜携帯電話機にＲＦシステム装置を装着（一体化）した形態＞である。］
［図Ｂは、＜ＲＦシステム装置＞の拡大図である。］
［図Ｃは、＜ＲＦシステム装置を腕時計等に装着した状態（形態）＞のイメージ図である。］【図Ａ】  「携帯電話機に、無線通信（携帯中継基地及びＩＣタグ）・ＯＳ・入出力等機能装置に、ＲＦシステム装置を装着（一体化）した状態を示した図である。」
【図Ｂ】  「携帯電話機器の一部である、ＲＦシステム装置を取り出した状態の拡大詳細図。ＲＦシステム装置のＩＳＯ１４４０準拠ＩＣチップ及びＩＳＯ１５６９３準拠ＩＣチップ並びにＯＳ・メモリ等を示した図である。」
【図Ｃ】  「携帯電話機器の一部であるＲＦシステム装置を、腕時計等に装着した状態（形態）を示した図である。」
【符号の説明】
▲１▼携帯中継基地用アンテナ
▲２▼ＯＳ及びフラッシュメモリ等
▲３▼ＩＣタグ（ＩＳＯ１５６９３）送受信アンテナ（装置）
▲４▼画面表示（入出力）機能
▲５▼音声入出力機能
▲６▼入力キー等（操作部）
▲７▼携帯電話機ＩＣタグ送受信アンテナ
▲８▼外部ＩＣタグ送受信アンテナ＜装置＞
▲９▼ＩＣタグ（チップ）＜ＩＳＯ１５６９３に準拠＞
▲１０▼ＩＣタグ（チップ）＜ＩＳＯ１４４４３に準拠＞
▲１１▼ＯＳ及びメモリ等
▲１２▼▲９▼との双方向特定認識等機能（ＩＳＯ１５９６３＜固有ＩＤ＞等）
▲１３▼ＲＦシステム装置
0003124514.tif 000003
【手続補正書】
【提出日】平成17年10月17日(2005.10.17)
【手続補正１】
【補正対象書類名】実用新案登録請求の範囲
【補正対象項目名】全文
【補正方法】変更
【補正の内容】
【実用新案登録請求の範囲】
【請求項１】
携帯電話システム装置において、
（１）携帯中継基地との無線通信・ＩＣタグ（ＩＳＯ１５６９３に準拠したＩＣチップ）・携帯電話並びにインターネットに対応するＯＳ・データ入出力等の機能を持つ装置＜以下、「入出力等システム装置」という。＞と、ＩＣタグ（ＩＳＯ１４４４３に準拠したＩＣチップ）・支払決済購入等及び全体を制御する機能を持つＯＳ・データ記憶等機能を持つ装置＜以下、「ＲＦシステム装置」という。＞とに、分離または一体化することができる、
（２）それぞれの装置はＩＳＯ１５６９３準拠の近接型ＩＣチップにより相互通信機能を有するとともに、ＩＳＯ１５９６３に準拠した固有ＩＤにより特定認識する、
（３）携帯電話機のそれぞれの装置は、特定装置（１対１あるいはＮ対Ｎ）間のみ以外は通信不可とする、
（４）ＩＣタグ間（ＩＳＯ１５６９３準拠ＩＣチップ及びＩＳＯ１４４４３準拠ＩＣチップ）もＩＳＯ１５９６３（固有ＩＤ）ほかの方法により特定認識・双方向通信機能を有すること。
以上からなる分離または一体化することができる携帯電話機。
【請求項２】
請求項１記載の入出力等システム装置及びＲＦシステム装置において、
（１）ＲＦシステム装置を入出力等システムから分離した時（２メートル程度以内）、ＲＦシステム装置に搭載する非接触型ＩＳＯ１４４４３準拠ＩＣチップは、対応する料金支払等システム（機器）との支払い通信機能に使用する、
（２）分離した場合（２メートル程度以内）にも、入出力等システム装置は携帯電話システム装置として、（１）の支払い通信及びデータ記憶等機能以外の機能を有する、
以上の構造を有する携帯電話機。
【請求項３】
請求項１記載のＲＦシステム装置を携帯電話機から分離した時は、専用の携帯時計などに装着できる形状を有する。また、ＲＦシステム装置を分離し携帯時計などに装着時、それぞれの装置がＩＳＯ１５６９３近接型ＩＣタグ（チップ）による通信不可の距離となった場合（２メートル程度以上）には、支払・決済・購入等機能に関しては携帯電話システム装置として自動的に機能しないとともに、ＩＳＯ１４４４３準拠ＩＣチップ（非接触型リアル）機能も使用不可となり、通信可能な距離に戻った場合には、自動的に全ての機能が再び利用可となる構造を持つ携帯電話機。
【請求項４】
請求項１記載の入出力等システム装置とＲＦシステム装置を分離し、ＩＳＯ１５６９３近接型ＩＣタグ（チップ）による通信不可の距離となった時間が一定以上の場合には、自動的に特定者（組織・機関等を含む）にそれを知らせる機能と構造を持つ携帯電話機。
【手続補正２】
【補正対象書類名】明細書
【補正対象項目名】全文
【補正方法】変更
【補正の内容】
【考案の詳細な説明】
【技術分野】
【国際特許分類第７版】
Ｈ０４Ｌ  ２９／００
Ｈ０４Ｍ  １／０２  １／２６  １／６５  １１／００  １１／０４  １１／０６
【考案の開示】
【考案が解決しようとする課題】
【０００１】ＩＳＯ１４４４３に準拠した仕様のＩＣチップを内臓し、料金支払い等の機能を有する携帯電話機により、受信システム（装置）を持つ駅の改札や販売店等で支払う際には、通常携帯電話を取り出して操作しなければならない。
一方、ＩＳＯ１５６９３に準拠した仕様のＩＣチップは、数メートルの距離で通信が可能であるが、本人の意思に関係なく、近付くだけで反応してしまう危険性がある。
今後のユビキタス社会においては、危険性の多い磁気カードに変わり、より安全なＩＣチップ（カード）が中心となるべきである。しかし、携帯電話機本体にＩＣチップを内蔵することは、上述のとおり使い勝手としては不便である。また、ＩＣカードとして別の独立した機能（形体）とすることも、磁気カードと同様な危険性を生じる。
このため、ＩＳＯ１４４４３準拠のＩＣチップを内臓する携帯電話機の機能を物理的にも分離することにより、わざわざ取り出すことなく料金支払い等ができるようにすることで、安全性・利便性を高め課題の解消を計ろうとするものである。
また、支払・決済・購入等機能を持つ携帯電話の盗難、あるいは紛失等した場合にも安全であることを課題とする。
さらに、出先などにおいて身体の急変等携帯電話による通信も不可の場合に、それを自動的に知らせることも課題とする。
【課題を解決するための手段】
【０００２】▲１▼携帯電話機を、携帯中継装置との無線通信、携帯電話・インターネット等機能を有するＯＳ、データを入出力（表示）できる各機能及びＩＳＯ１５６９３に準拠するＩＣタグを内臓する装置「入出力等システム装置」と、ＩＣタグ（ＩＳＯ１４４４３準拠ＩＣチップ）を内蔵し、支払・決済・購入等機能等全体を制御するＯＳ及び各種データ記憶等機能を持つＲＦシステム装置とに、必要に応じて物理的に分離及び装着（一体化）することができる機能を有する。
▲２▼無線通信・ＩＳＯ１５６９３準拠ＩＣタグ・ＯＳ・入出力等機能装置とＲＦシステム装置は、ＩＳＯ１５９６３に準拠した固有ＩＤにより特定認識し、ＩＳＯ１５６９３に準拠したＩＣチップ（近接型）だけとの双方向通信機能を有する。特定装置（１対１あるいはＮ対Ｎ）間のみ以外は通信不可とする。
▲３▼ＲＦシステム装置には、ＩＳＯ１５６９３準拠ＩＣチップの送受信アンテナ及びＩＳＯ１４４４３に準拠したＩＣチップを搭載し、ＩＳＯ１４４４３準拠ＩＣタグ及び１５６９３に準拠ＩＣタグ間も特定認識通信機能を有する。
▲４▼ＲＦシステム装置には、オンラインバンキング・支払や入金（電子マネーやクレジット）・各種チケットなど（ネットワーク購入とリアル使用）・入退室電子キー等機能全体を制御するＯＳ及びそれら各種データ等の記憶及び利用等ができる機能機器を搭載する。
▲５▼本携帯電話機を、無線通信・ＯＳ・入出力等機能装置と、ＲＦシステム装置とに分離し、それぞれの装置がＩＳＯ１５６９３近接型ＩＣタグ（チップ）による通信不可の距離となった場合には、自動的に各種支払購入等（通信）機能は使用不可となり、通信可能な距離に戻った場合には、支払購入等機能は自動的に利用可となる機能を持つ。同時に、ＲＦシステム装置のＩＳＯ１４４４３準拠ＩＣチップも、非接触型の料金決済等システムなどとの支払・使用等機能を不可及び可とする。
▲６▼ＲＦシステム装置は、専用の携帯時計・腕輪・ペンダント（スティック）・指輪・ネックレスなどに装着あるいは分離できる機能を有する。
▲７▼本携帯電話機の無線通信・ＯＳ・入出力等機能装置とＲＦシステム装置を分離し、ＩＳＯ１５６９３近接型ＩＣタグ（チップ）による通信不可の距離となった時間が一定以上の場合には、自動的に特定者（組織・機関等を含む）にそれを知らせる（定型文電話・メール）機能を有すること。また、その機能の利用及び時間等は任意に設定できる機能を持つ。
▲８▼本携帯電話機の無線通信・ＯＳ・入出力等機能装置「入出力等システム装置」は、特定者（組織・機関等を含む）だけには通信連絡できる機能（アドレス登録）を有する。【０００３】ＩＳＯ１５６９３に準拠したＩＣ送受信アンテナ、及びＩＳＯ１４４４３に準拠したＩＣチップを搭載し、全体制御並びにデータ記憶機能を持つＲＦシステム装置を、携帯電話機から分離し（外し）、携帯時計・腕輪・ペンダント（スティック）・指輪・ネックレスなどの装身具や器具（ＵＳＢフラッシュメモリ）等に容易かつ安全に装着できるようにする。外出時等に分離し携帯時計などに装着することにより、非接触型の料金決済等システムとの支払いなどに対しては、携帯電話機を取り出すことなく簡単に操作が可能となる。それらの装置は、支払・決済・購入等に関してはセット（一対等）で機能することを基本形態（システム）とする。
携帯電話機として一体型としたままでも、全ての機能は有するものとする。
携帯電話機の無線通信・ＯＳ・入出力等機能装置「入出力等システム装置」とＲＦシステム装置を分離した場合は、支払いなどに対して電波（ＩＳＯ１５６９３）が届く距離内だけでセット機能するものとし、片方だけでは作動しないものとする。なお、電波（ＩＳＯ１５６９３）が届かない距離に離れたら、持ち主に知らせる機能を備えることが最良の形態となる。
＜万一、強盗などの被害や紛失等が生じた場合には、自動的にその支払・決済などセット機能が停止できる。＞
自分の身体に異常が生じた場合などには、無線通信・ＯＳ・入出力等機能装置「入出力等システム装置」とＲＦシステム装置を意識的に分離させることだけで、異常事態を事前に設定した特定者（組織・機関等を含む）に自動的に緊急通信連絡できる機能を機器に備える。また、緊急時対応装置を設け、持ち主が意識的にボタンを引っ張る（あるいは押す）ことなどにより、同様に緊急通信連絡できる機能を備えることが最良の形態となる。さらに、緊急連絡は１回だけでなく３０分間隔等複数回通信することで、より確実に連絡でき、かつ場所（位置）の特定も可能となる。
＜組織や機関等の場合は、別途保険等安全システム（組織・機関等）への加入が必要とされる。＞
【実施例】
【０００４】携帯電話機本体にＩＳＯ１４４４３に準拠したＩＣチップを搭載した場合には、支払等操作時において常に携帯電話を取り出さなければならない。しかし、ＩＳＯ１４４４３に準拠したＩＣチップを別の装置とすることにより、携帯電話（機器）を取り出すことなく支払い処理等が可能となる。
また、それぞれが通信できない（ＩＳＯ１５６９３）距離以上に離れると、支払・決済・購入等機能等全体を制御するＯＳ及び各種データ記憶等機能は自動的に停止するものとする。（装置間で通信不能の場合には、自動的に支払い機能停止とする。）【０００５】数分間隔等で双方の装置が交信し互いに位置を確認連絡する方法などにより、その離れた時間が一定の時間以上の場合には、異常事態を自動的に特定者（組織・機関等を含む）等に緊急通信連絡（複数回）できる機能を持たせる。その機能利用や、緊急通信連絡する一定時間は１０分あるいは２４時間等任意に設定できるものとする。
なお、本携帯電話機の無線通信・ＯＳ・入出力等機能装置は、特定者等だけには（緊急）通信連絡できる機能を任意に設定できるものとする。
＜自分の身体に異常が生じても話ができない場合などには、自らどちらかの装置を数メートル先に投げる（分離する）ことにより、異常事態を特定者に自動発信することもできる。＞
【産業上の利用可能性】
【０００６】磁気カードは比較的簡単なシステムであるため、その不正使用や危険性は社会的にも諸問題を増大させている。一方、磁気カードに比較しＩＣチップ（カード）は、様々な支払やその使用などの機能を持たすことが可能であり、かつより安全なシステムとうたわれている。しかし、諸技術は日進月歩であり、その不正使用も進展する可能性がある。さらに、携帯電話機にもＩＣチップ（カード）を搭載し、さらにネットワーク入金や購入支払（電子マネーやクレジット）など種々の利用ができることはその危険性を増す。このため、利用者が容易に取り扱え、かつ出来る限り万一の危険にも安全なＲＦ（ＩＣ）システムとすることが、ユビキタス社会の実現に必要である。携帯電話機に、数センチの距離しか電波が飛ばないＩＳＯ１４４４３に準拠したＩＣチップと、数メートルの距離が可能なＩＳＯ１５６９３に準拠したＩＣチップを、それぞれ搭載する装置を設け、その装置を分離あるいは一体化でき、かつＲＦシステム装置は別の機器にも装着可能とすることでその利便性を増す。＜自宅等では主に分離しない形態で利用する。＞  ⇒ＲＦ（ＩＣ）システム及び電子機器関連産業【０００７】ＩＣチップカード搭載の携帯電話（電子マネー等機能）により、チケットや様々な商品等購入とその使用や返金（品）などに対し便利・容易となる。しかし、外出などにおいて置き忘れた場合等には、極めて危険性が増す。このため、携帯電話機器間の分離された距離が、通信（ＩＳＯ１５６９３）できない距離以上になると自動的に機能停止となることにより、その安全性や不正使用等を激減することができる。⇒保険等安全システム及び金融関連産業
装置が分離した時間が一定以上の場合（強盗や身体異常等）には自動送信できる機能により、使用者の万一の危険時においても対応することができる。
なお、この場合には使用者が自宅や外出先等において、無意識的に数メートル以上の距離を離してしまったときなどに対して、使用者へお知らせ（音声）する機能を持たせる。⇒保険・医療関連産業
ＲＦ（ＩＣ）システムが装着できる新たな形体の、携帯時計・腕輪・ペンダント（スティック）・指輪・ネックレスなどの装身具や器具（ＵＳＢフラッシュメモリ）等の生産需要が見込まれる。⇒時計・装身具・各種機器関連産業
【図面の簡単な説明】
【０００８】
【図１】携帯電話機にＲＦシステム装置を装着（一体化）した形態である。
【図２】ＲＦシステム装置の拡大図である。
【図３】ＲＦシステム装置を腕時計等に装着した状態（形態）のイメージ図である。
【符号の説明】
１携帯中継基地用アンテナ
２携帯電話・インターネット等機能ＯＳ及びフラッシュメモリ等
３ＩＣタグ（ＩＳＯ１５６９３）１０との送受信アンテナ
４画面表示（入出力）機能
５音声入出力機能
６入力キー等（操作部）
７ＩＣタグ９との送受信アンテナ
８外部ＩＣタグ送受信アンテナ
９ＩＣタグ（チップ）＜ＩＳＯ１５６９３に準拠＞
１０ＩＣタグ（チップ）＜ＩＳＯ１４４４３に準拠＞
１１ＯＳ及びメモリ等
１２ＩＣタグ９との双方向特定認識等機能（ＩＳＯ１５９６３＜固有ＩＤ＞等）
１３ＲＦシステム装置
【手続補正３】
【補正対象書類名】図面
【補正対象項目名】全図
【補正方法】変更
【補正の内容】
【図１】
0003124514.tif 000004
【図３】
0003124514.tif 000005
【手続補正書】
【提出日】平成18年1月4日(2006.1.4)
【手続補正１】
【補正対象書類名】実用新案登録請求の範囲
【補正対象項目名】全文
【補正方法】変更
【補正の内容】
【実用新案登録請求の範囲】
【請求項１】
携帯電話機において、
（１）携帯中継基地との無線通信・インターネット対応ＯＳ・データ入出力及びＩＳＯ１５６９３に準拠したＩＣチップ等の構造を持つ装置＜以下「入出力等システム」という。＞と、ＩＳＯ１４４４３に準拠したＩＣチップ・支払決済購入対応ＯＳ・データ記憶及び全体制御ＯＳ等の構造を持つ装置＜以下「ＲＦシステム」という。＞とに、分離または一体化することができる、
（２）「入出力等システム」及び「ＲＦシステム」の各装置は、ＩＳＯ１５６９３準拠の近接型ＩＣチップにより相互通信できる構造を有するとともに、ＩＳＯ１５９６３に準拠した固有ＩＤにより特定認識する構造を持つ、
（３）それぞれの装置は、特定装置（１対１あるいはＮ対Ｎ）間のみ以外は通信不可とする構造を持つ、
（４）ＩＣタグ間（ＩＳＯ１５６９３準拠ＩＣチップ及びＩＳＯ１４４４３準拠ＩＣチップ）もＩＳＯ１５９６３（固有ＩＤ）ほかの方法により特定認識・双方向通信できる構造を持つ、
以上の構造からなることを特徴とする携帯電話機。
【請求項２】
請求項１記載の「入出力等システム」装置及び「ＲＦシステム」装置において、
（１）ＲＦシステム装置を入出力等システム装置から分離した時｛およそ２メートル以内｝、ＲＦシステム装置に搭載する非接触型ＩＳＯ１４４４３準拠ＩＣチップは、対応する外部の料金支払等システム機器との支払い通信に使用できる構造を有する、
（２）ＲＦシステム装置を分離し、それぞれの装置がＩＳＯ１５６９３近接型ＩＣタグ（チップ）による通信不可の距離となった場合｛２メートル程度以上｝には、支払・決済・購入等機能を持つ携帯電話機システムとして自動的に機能しないとともに、ＩＳＯ１４４４３準拠ＩＣチップ（非接触型リアル）も使用不可となり、通信可能な距離に戻った場合には自動的にそれらの機能が再び利用可となる構造を有する、
（３）それぞれの装置を２メートル程度以上分離した場合においても、入出力等システム装置は携帯電話機として緊急通信だけは使用できる構造を有する、
以上の構造からなることを特徴とする携帯電話機。
【請求項３】
請求項１記載のＲＦシステム装置を携帯電話機から分離した時は、専用の携帯時計などに装着できる形状を有する。
【請求項４】
請求項１記載の入出力等システム装置とＲＦシステム装置を分離し、ＩＳＯ１５６９３近接型ＩＣタグ（チップ）による通信不可の距離となった時間が一定以上の場合には、自動的に特定者（組織・機関等を含む）にそれを知らせる機能構造を持つ携帯電話機。
【手続補正２】
【補正対象書類名】図面
【補正対象項目名】全図
【補正方法】変更
【補正の内容】
【図１】
0003124514.tif 000006
【図２】
0003124514.tif 000007
【図３】
0003124514.tif 000008
【手続補正書】
【提出日】平成18年3月6日(2006.3.6)
【手続補正１】
【補正対象書類名】実用新案登録請求の範囲
【補正対象項目名】全文
【補正方法】変更
【補正の内容】
【実用新案登録請求の範囲】
【請求項１】
携帯電話機において、
（１）携帯中継基地との無線通信・インターネット対応ＯＳ・データの入出力等の構造を持つ装置部に、ＩＳＯ１５６９３に準拠したＩＣチップを組み込む＜以下「入出力等システム」装置という。＞、データ記憶及び全体制御ＯＳ等の構造を持つ装置部に、ＩＳＯ１４４４３に準拠したＩＣチップ及び支払決済購入対応ＯＳを組み込む＜以下「ＲＦシステム」装置という。＞、それぞれの装置は分離または一体化することができる、
（２）「入出力等システム」及び「ＲＦシステム」の各装置は、ＩＳＯ１５６９３準拠の近接型ＩＣチップにより相互通信できる構造を有するとともに、ＩＳＯ１５９６３に準拠した固有ＩＤにより特定認識する構造を持つ、
（３）それぞれの装置は、特定装置間のみ以外は通信不可とする構造を持つ、
（４）ＩＳＯ１５６９３準拠ＩＣチップ及びＩＳＯ１４４４３準拠ＩＣチップは、ＩＳＯ１５９６３に準拠した固有ＩＤほかの方法により特定認識・双方向通信できる構造を持つ、
以上の構造からなることを特徴とする携帯電話機。
【請求項２】
請求項１記載の「入出力等システム」装置及び「ＲＦシステム」装置において、
（１）ＲＦシステム装置を入出力等システム装置から分離した時｛およそ２メートル以内｝、ＲＦシステム装置に搭載するＩＳＯ１４４４３準拠ＩＣチップは、対応する外部の料金支払等システム機器との支払い通信に使用できる構造を有する、
（２）ＲＦシステム装置を分離し、それぞれの装置がＩＳＯ１５６９３準拠近接型ＩＣチップ（タグ）による通信不可の距離となった場合｛２メートル程度以上｝には、支払・決済・購入等機能を持つ携帯電話機システムとして自動的に機能しないとともに、ＩＳＯ１４４４３準拠非接触型リアルＩＣチップ（タグ）も使用不可となり、通信可能な距離に戻った場合には自動的にそれらの機能が再び利用可となる構造を有する、
（３）それぞれの装置を２メートル程度以上分離した場合においても、入出力等システム装置は携帯電話機として緊急通信だけは使用できる構造を有する、
以上の構造からなることを特徴とする携帯電話機。
【請求項３】
請求項１記載のＲＦシステム装置を携帯電話機から分離した時は、専用の携帯時計などに装着できる形状を有する携帯電話機。
【請求項４】
請求項１記載の入出力等システム装置とＲＦシステム装置を分離し、ＩＳＯ１５６９３近接型ＩＣチップによる通信不可の距離となった時間が一定以上の場合には、自動的に組織・機関等を含む特定者にそれを知らせる機能構造を持つ携帯電話機。
【手続補正書】
【提出日】平成18年5月15日(2006.5.15)
【手続補正１】
【補正対象書類名】実用新案登録請求の範囲
【補正対象項目名】全文
【補正方法】変更
【補正の内容】
【実用新案登録請求の範囲】
【請求項１】
携帯電話機において、
（１）インターネット対応ＯＳを有し、携帯中継基地との無線通信・データの入出力できる構造を持つ装置部に、ＩＳＯ１５６９３に準拠したＩＣチップを組み込んだ入出力等システム装置と、
データ記憶装置及び全体制御ＯＳを持つ装置部に、ＩＳＯ１４４４３に準拠したＩＣチップ及び支払決済購入対応ＯＳを組み込んだＲＦシステム装置とを有し、
（２）前記入出力等システム装置と前記ＲＦシステム装置は分離または一体化することができ、
（３）前記入出力等システム装置及び前記ＲＦシステム装置の各装置は、ＩＳＯ１５６９３準拠の近接型ＩＣチップにより相互通信できる構造を有するとともに、ＩＳＯ１５９６３に準拠した固有ＩＤにより特定認識する構造を持ち、
（４）それぞれの装置は、特定装置間のみ以外は通信不可とする構造を持ち、
（５）ＩＳＯ１５６９３準拠ＩＣチップ及びＩＳＯ１４４４３準拠ＩＣチップは、ＩＳＯ１５９６３に準拠した固有ＩＤほかの方法により特定認識・双方向通信できる構造を持つ、
以上の構造からなることを特徴とする携帯電話機。
【請求項２】
請求項１記載の入出力等システム装置及びＲＦシステム装置において、
（１）ＲＦシステム装置を入出力等システム装置から分離しても、それぞれの装置がＩＳＯ１５６９３準拠近接型ＩＣチップによる通信可能な距離およそ２メートルの範囲内であれば、ＲＦシステム装置に搭載するＩＳＯ１４４４３準拠非接触型リアルＩＣチップは、対応する外部の料金支払等システム機器との支払い通信に使用できる構造を持ち、
（２）ＲＦシステム装置を入出力等システム装置から２メートル程度以上分離し、それぞれの装置がＩＳＯ１５６９３準拠近接型ＩＣチップによる通信不可の距離となった場合には、ＩＳＯ１４４４３準拠非接触型リアルＩＣチップは使用できない構造を持ち、
（３）それぞれの装置が通信可能な距離に戻った場合には、自動的に前記（１）の機能が再び利用可となる構造を有する、
（４）それぞれの装置を２メートル程度以上分離した場合においても、入出力等システム装置は携帯電話機として緊急通信だけは使用できる構造を持つ、
以上の構造からなることを特徴とする携帯電話機。
【請求項３】
請求項１記載のＲＦシステム装置を携帯電話機から分離した時は、専用の携帯時計などに装着できる形状を有する携帯電話機。
【請求項４】
請求項１記載の入出力等システム装置とＲＦシステム装置を分離し、ＩＳＯ１５６９３近接型ＩＣチップによる通信不可の距離となった時間が一定以上の場合には、自動的に組織・機関等を含む特定者にそれを知らせる機能構造を持つ携帯電話機。